(57)【要約】【課題】２つの局部発振回路を同時に動作させた場合に生ずるスプリアス信号のレベルをなるべく低減し、衛星からの正常な信号を妨害を受けずにダウンコンバートすることが可能な低雑音ダウンコンバータを提供する。【解決手段】シャーシ３２には、上面に配線基板３４が取付けられる。配線基板３４を覆うようにフレーム４２が取付けられる。そして、局部発振回路１２に対応する配線基板３４の領域を覆うようにフレーム４２が形成されている。また、シャーシ３２には、下面に配線基板３６が取付けられる。そして、局部発振回路１８に対応する配線基板３６の領域を覆うようにフレーム４６が形成されている。さらに、局部発振回路１２，１８の配置に関して、配線基板３４に設けられる局部発振回路１２の真下の配線基板３６に局部発振回路１８が設けられないよう配置する。【選択図】図３
2007318718.tif 000002
【特許請求の範囲】
【請求項１】
衛星放送を受信するための低雑音ダウンコンバータであって、
対向する第１および第２の面を有する金属製のシャーシと、
前記第１の面に取付けられる第１の配線基板と、
前記第１の配線基板上に設けられる第１の局部発振手段と、
前記第２の面に取付けられる第２の配線基板と、
前記第２の配線基板上に設けられる第２の局部発振手段と、
前記第１および第２の配線基板にそれぞれ対応して設けられ、前記第１および第２の配線基板を覆うための第１および第２のフレームとを備え、
前記第１および第２のフレームの少なくとも一部は、前記第１および第２の配線基板の前記第１および第２の局部発振手段に対する領域を遮蔽するようにそれぞれ成型され、
前記第２の局部発振手段は、前記金属製のシャーシによって前記第１の局部発振手段と分離シールドされ、
前記第２の局部発振手段は、前記第１の配線基板上に設けられた第１の局部発振手段の真下に設けられないようにずれて配置される、低雑音ダウンコンバータ。
【請求項２】
前記第１の配線基板と前記第２の配線基板とを接続するための接続ピンをさらに備え、
前記接続ピンは、前記第１の配線基板、前記シャーシおよび前記第２の配線基板を貫通して設けられ、
前記第１および第２のフレームは、さらに前記接続ピンが貫通する前記第１および第２の配線基板の領域を遮蔽するようにそれぞれ形成され、
前記接続ピンは、前記第１および第２の局部発振手段に対する領域には設けられない、請求項１記載の低雑音ダウンコンバータ。
【請求項３】
前記第１および第２の局部発振手段は、前記第１および第２の配線基板の基板の辺に沿う周辺領域にそれぞれ設けられ、前記第１および第２の局部発振手段の間隔が最大となるようにずれて配置される、請求項１記載の低雑音ダウンコンバータ。
【請求項４】
衛星放送を受信するための低雑音ダウンコンバータであって、
対向する第１および第２の面を有する配線基板と、
前記第１の面上に設けられる第１の局部発振手段と、
前記第２の面上に設けられる第２の局部発振手段と、
前記配線基板の第１の面に対応して設けられ、前記配線基板を覆うためのフレームと、
前記配線基板の第２の面側に設けられ、前記配線基板を取り付けるための金属製のシャーシとを備え、
前記フレームの少なくとも一部は、前記配線基板の前記第１の局部発振手段に対する領域を遮蔽するように成型され、
前記金属製のシャーシは、凹み領域を有し、前記凹み領域により前記配線基板と前記金属製のシャーシとの間で前記第２の局部発振手段が遮蔽され、
前記第２の局部発振手段は、前記配線基板の第１の面上に設けられた第１の局部発振手段の真下に設けられないようにずれて配置される、低雑音ダウンコンバータ。
【請求項５】
前記第１および第２の局部発振手段は、前記配線基板の基板の辺に沿う周辺領域にそれぞれ設けられ、前記第１および第２の局部発振手段の間隔が最大となるようにずれて配置される、請求項４記載の低雑音ダウンコンバータ。
【請求項６】
衛星放送を受信するための低雑音ダウンコンバータであって、
対向する第１および第２の面を有する配線基板と、
前記第１の面上に設けられる第１の局部発振手段と、
前記第２の面上に設けられる第２の局部発振手段と、
前記配線基板の第１の面に対応して設けられ、前記配線基板を覆うためのフレームと、
前記配線基板の第２の面側に設けられ、前記配線基板を取り付けるための金属製のシャーシと、
前記第１および第２の局部発振手段にそれぞれ対応して独立に設けられ、対応する局部発振手段と接続されてＧＮＤが供給される第１および第２のＧＮＤ供給ラインとを備える、低雑音ダウンコンバータ。
【請求項７】
前記フレームの少なくとも一部は、前記配線基板の前記第１の局部発振手段に対する領域を遮蔽するように成型され、
前記金属製のシャーシは、凹み領域を有し、前記凹み領域により前記配線基板と前記金属製のシャーシとの間で前記第２の局部発振手段が遮蔽される、請求項６記載の低雑音ダウンコンバータ。
【請求項８】
前記フレームは接地され、
前記第１および第２の局部発振手段の一方と前記フレームとが接続され、
前記フレームは、対応するＧＮＤ供給ラインの一部を形成する、請求項６記載の低雑音ダウンコンバータ。
【発明の詳細な説明】
【技術分野】
【０００１】
この発明は、低雑音コンバータに関し、より特定的には衛星放送受信装置の衛星通信において使用される、２種類以上の局部発振回路を同時に動作させる低雑音ダウンコンバータ（ＬＮＢ）に関する。
【背景技術】
【０００２】
衛星放送用のアンテナで電波を受信し、屋内のＢＳチューナに信号を導くには、通常同軸ケーブルが用いられる。ところが、アンテナで受信した電波は、直接同軸ケーブルでは屋内に導くことができない。
【０００３】
周波数の非常に高い衛星放送の電波を導くには、導波管という金属の管を使う必要がある。導波管を使った場合アンテナから屋内の衛星放送受信機まで信号を導くのには壁に大きな穴を開けたりする必要があり、また、減衰も多いので現実的ではない。したがって、通常は、アンテナ近辺に設置したＬＮＢを用いて、同軸ケーブルでも導けるくらいの周波数にまで受信信号の周波数を落として屋内の衛星放送受信機に信号を伝達する。屋内の衛星放送受信機には、スクランブルデコーダが内蔵されており、これによりスクランブルが解除され、表示機に画像が表示される。
【０００４】
アナログ放送、デジタル放送が混在する中で、両方の信号を受信するために広帯域のＬＮＢが必要とされている。衛星からの受信信号を地上で受信される帯域に変換する際には局部発振回路が用いられる。しかし、１つの局部発振回路の出力帯域よりも衛星から受信信号の帯域が広い。そこで、通常は発振周波数の異なる局部発振回路を２個用いて受信を行なっている。
【０００５】
たとえば、衛星からの受信信号の帯域１０．７〜１１．７ＧＨｚに対しては、９．７５ＧＨｚの発振周波数の第１の局部発振回路でＬＮＢの出力周波数９５０〜１９５０ＭＨｚをカバーしている。また、受信信号の帯域１１．７〜１２．７５ＧＨｚに対しては、１０．６ＧＨｚの発振周波数の第２の局部発振回路を使用し、ＬＮＢの出力周波数１１００〜２１５０ＭＨｚをカバーしている。
【０００６】
このＬＮＢの構造において、従来は、配線基板を２つ使用し、それぞれ１つの局部発振回路を設けて局部発振回路相互の干渉を避けていた。
【０００７】
具体的には、２つの配線基板の間に金属製のシャーシ（板金）をいれて、２つの配線基板を分離していたが、板金の厚みが例えば、約２ｍｍ程度である場合には、２つの配線基板の間の距離が十分離れているとはいえなかった。
【０００８】
そのため、２つの局部発振回路を同時に動作させた場合に、２つの局部発振回路の局部発振周波数の差に基づく強いスプリアス信号が発生し、受信帯域内に高調波が出現する問題が生じる。この高調波の影響により、衛星からの正常な信号を屋内の衛星放送受信機などに送ることができず、テレビ画面などの映像が乱れたりするおそれが生ずるという問題があった。そこで、厚みを改善することが図られていた。
【０００９】
図７は、従来の衛星放送受信装置の断面構造を示した図である。
図７を参照して、厚さｄ２の金属製のシャーシ２３２の一方の面には配線基板２３４が取付けられ他方の面に配線基板２３６が取付けられる。配線基板２３４、２３６にはそれぞれ局部発振回路２１２、２１８が搭載されている。配線基板２３４を覆うようにフレーム２４２が取付けられている。一方、配線基板２３６はシャーシ２３２によって覆われている。
【００１０】
従来は、上述したように厚みの厚いシャーシ２３２で配線基板２３４と２３６とを分離することにより２つの局部発振回路の相互の影響を低減する方式が採用されていた。
【特許文献１】特開２００２−２４６９２５号公報
【発明の開示】
【発明が解決しようとする課題】
【００１１】
しかしながら、厚みの厚いシャーシを用いれば当然に装置全体は大きくなるという問題がある。
【００１２】
また、２つの配線基板を接続する接続ピンを介して２つの局部発振回路が互いに干渉し合う問題も避ける必要がある。
【００１３】
本発明の目的は、上記のような問題を解決するためになされたものであって、２つの局部発振回路を同時に動作させた場合に生ずるスプリアス信号のレベルをなるべく低減し、衛星からの正常な信号を妨害を受けずにダウンコンバートすることが可能な低雑音ダウンコンバータを提供することである。
【課題を解決するための手段】
【００１４】
本発明に係る低雑音ダウンコンバータは、衛星放送を受信するための低雑音ダウンコンバータであって、対向する第１および第２の面を有する金属製のシャーシと、第１の面に取付けられる第１の配線基板と、第１の配線基板上に設けられる第１の局部発振手段と、第２の面に取付けられる第２の配線基板と、第２の配線基板上に設けられる第２の局部発振手段と、第１および第２の配線基板にそれぞれ対応して設けられ、第１および第２の配線基板を覆うための第１および第２のフレームとを備える。第１および第２のフレームの少なくとも一部は、第１および第２の配線基板の第１および第２の局部発振手段に対する領域を遮蔽するようにそれぞれ成型される。第２の局部発振手段は、金属製のシャーシによって第１の局部発振手段と分離シールドされる。第２の局部発振手段は、第１の配線基板上に設けられた第１の局部発振手段の真下に設けられないようにずれて配置される。
【００１５】
好ましくは、第１の配線基板と第２の配線基板とを接続するための接続ピンをさらに備える。接続ピンは、第１の配線基板、シャーシおよび第２の配線基板を貫通して設けられる。第１および第２のフレームは、さらに接続ピンが貫通する第１および第２の配線基板の領域を遮蔽するようにそれぞれ形成される。接続ピンは、第１および第２の局部発振手段に対する領域には設けられない。
【００１６】
好ましくは、第１および第２の局部発振手段は、第１および第２の配線基板の基板の辺に沿う周辺領域にそれぞれ設けられ、第１および第２の局部発振手段の間隔が最大となるようにずれて配置される。
【００１７】
本発明に係る別の低雑音ダウンコンバータは、衛星放送を受信するための低雑音ダウンコンバータであって、対向する第１および第２の面を有する配線基板と、第１の面上に設けられる第１の局部発振手段と、第２の面上に設けられる第２の局部発振手段と、配線基板の第１の面に対応して設けられ、配線基板を覆うためのフレームと、配線基板の第２の面側に設けられ、配線基板を取り付けるための金属製のシャーシとを備える。フレームの少なくとも一部は、配線基板の第１の局部発振手段に対する領域を遮蔽するように成型される。金属製のシャーシは、凹み領域を有し、凹み領域により配線基板と金属製のシャーシとの間で第２の局部発振手段が遮蔽される。第２の局部発振手段は、配線基板の第１の面上に設けられた第１の局部発振手段の真下に設けられないようにずれて配置される。
【００１８】
好ましくは、第１および第２の局部発振手段は、配線基板の基板の辺に沿う周辺領域にそれぞれ設けられ、第１および第２の局部発振手段の間隔が最大となるようにずれて配置される。
【００１９】
本発明に係る別の低雑音ダウンコンバータは、衛星放送を受信するための低雑音ダウンコンバータであって、対向する第１および第２の面を有する配線基板と、第１の面上に設けられる第１の局部発振手段と、第２の面上に設けられる第２の局部発振手段と、配線基板の第１の面に対応して設けられ、配線基板を覆うためのフレームと、配線基板の第２の面側に設けられ、配線基板を取り付けるための金属製のシャーシと、第１および第２の局部発振手段にそれぞれ対応して独立に設けられ、対応する局部発振手段と接続されてＧＮＤが供給される第１および第２のＧＮＤ供給ラインとを備える。
【００２０】
好ましくは、フレームの少なくとも一部は、配線基板の第１の局部発振手段に対する領域を遮蔽するように成型され、金属製のシャーシは、凹み領域を有し、凹み領域により配線基板と金属製のシャーシとの間で第２の局部発振手段が遮蔽される。
【００２１】
好ましくは、フレームは接地され、第１および第２の局部発振手段の一方とフレームとが接続され、フレームは、対応するＧＮＤ供給ラインの一部を形成する。
【発明の効果】
【００２２】
本発明に係る低雑音ダウンコンバータは、第１および第２のフレームの少なくとも一部は、配線基板の第１および第２の局部発振手段に対する領域を遮蔽し、金属製のシャーシによって分離し、第２の局部発振手段は、第１の配線基板上に設けられた第１の局部発振手段の真下に設けられないようにずれて配置する構成であるため、周辺回路領域に対するスプリアス信号の影響を抑制するとともに、第１および第２の局部発振手段の間隔を確保して、互いに干渉することを抑制することができるため、スプリアス信号のレベルを低減し、衛星からの正常な信号を妨害を受けずにダウンコンバートすることができる。
【００２３】
本発明に係る別の低雑音ダウンコンバータは、フレームの少なくとも一部は、配線基板の第１の局部発振手段に対する領域を遮蔽し、金属製のシャーシと配線基板とにより第２の局部発振手段を遮蔽し、第２の局部発振手段は、第１の配線基板上に設けられた第１の局部発振手段の真下に設けられないようにずれて配置する構成であるため、周辺回路領域に対するスプリアス信号の影響を抑制するとともに、第１および第２の局部発振手段の間隔を確保して、互いに干渉することを抑制することができるため、スプリアス信号のレベルを低減し、衛星からの正常な信号を妨害を受けずにダウンコンバートすることができる。
【発明を実施するための最良の形態】
【００２４】
以下、図面を参照しながら本発明の実施形態を説明する。尚、本発明は以下の実施形態に限定されるものではない。
【００２５】
（実施の形態１）
図１は、本発明の実施の形態に従うＬＮＢ１の構成を示したブロック図である。
【００２６】
図１を参照して、ＬＮＢ１は、電源回路２０と、衛星からの信号を受ける入力部ホーン２と、入力部ホーン２の出力を増幅する低雑音アンプ（ＬＮＡ：Low Noise Amplifier）４と、ＬＮＡ４の出力に接続されるバンドパスフィルタ（ＢＰＦ：Band Pass Filter）８と、所定の第１の局部発振周波数を出力する局部発振回路１２と、バンドパスフィルタ８の出力と局部発振回路１２の出力とを混合するミクサ（Mixer）１０とを含む。
【００２７】
ＬＮＢ１は、さらに、ＬＮＡ４の出力に接続されるバンドパスフィルタ１４と、第２の所定の局部発振周波数を出力する局部発振回路１８と、バンドパスフィルタ１４の出力と局部発振回路１８の出力とを混合するミクサ１６と、ミクサ１０，１６の出力の一方を選択するセレクト回路２２と、セレクト回路２２の出力を増幅するＩＦアンプ２４と、ＩＦアンプ２４の出力に一方端が接続されるコンデンサ２６と、コンデンサ２６の他方端に接続されるＦ栓コネクタ２８とを含む。
【００２８】
ＬＮＡ４，局部発振回路１２，１８およびＦ栓コネクタ２８には電源回路２０から電源電位が供給されている。
【００２９】
図２は、本発明の実施の形態に従うＬＮＢ１の２つの局部発振回路をそれぞれ搭載する配線基板を分離する構造を概略的に示した断面図である。
【００３０】
図２を参照して、シャーシ３２の上面および下面にそれぞれ配線基板３４、３６が取付けられる。配線基板３４、３６にはそれぞれ図示しないが局部発振回路１２，１８が搭載されている。そして、シャーシ３２には入力部ホーン５２が取付けられ、配線基板３４を覆うようにフレーム４２が取付けられている。また、配線基板３６を覆うようにフレーム４６が取付けられている。シャーシ３２には、さらに、屋内の衛星放送受信機に信号を出力するＦ栓コネクタ５４が取付けられている。
【００３１】
このように配線基板３４と配線基板３６とをシャーシ３２による金属シールドで分離し、配線基板上の回路をフレームで覆って、外部に電波が飛び交わないようにしている。
【００３２】
図３は、本発明の実施の形態１に従うＬＮＢの構造を側面から示した図である。
図３を参照して、シャーシ３２には、上面に配線基板３４が取付けられる。配線基板３４を覆うようにフレーム４２が取付けられるとともに、配線基板３４上に設けられる局部発振回路１２が示されている。そして、局部発振回路１２に対応する配線基板３４の領域を覆うようにフレーム４２が形成されている。具体的には、側壁部４２Ｃ，４２Ｄにより局部発振回路１２は、遮蔽された状態となっている。
【００３３】
また、シャーシ３２には、下面に配線基板３６が取付けられている。配線基板３６を覆うようにフレーム４６が取付けられるとともに、配線基板３６上に設けられる局部発振回路１８が示されている。そして、局部発振回路１８に対応する配線基板３６の領域を覆うようにフレーム４６が形成されている。具体的には、側壁部４６Ａ，４６Ｂにより局部発振回路１８は、遮蔽された状態となっている。
【００３４】
また、ここでは、配線基板３４および３６との間を接続する接続ピン５が設けられている場合が示されている。具体的には、接続ピン５は、配線基板３４、シャーシ３２および配線基板３６を貫通して設けられている。そして、この接続ピン５が貫通する配線基板３４，３６の領域を遮蔽するようにフレーム４２および４６が設けられている。具体的には、配線基板３４側においては、側壁部４２Ｂ，４２Ｃにより遮蔽された状態となっており、この信号ピン５は、局部発振回路１２が遮蔽される領域とは異なる領域に設けられることとする。
【００３５】
また、配線基板３６側においては、側壁部４６Ｂ，４６Ｃにより遮蔽された状態となっており、この信号ピン５は、局部発振回路１８が遮蔽される領域とは異なる領域に設けられることとする。
【００３６】
このように局部発振回路１２および１８をシャーシ３２による金属シールドで分離するとともに、配線基板３４と配線基板３６とにおいて、配線基板上の各回路をフレームで覆って区分し、特に局部発振回路１２および１８に対応する領域をフレームで遮蔽することにより局部発振回路の回路領域以外の回路部分にスプリアス信号である電波が飛び交わないようにすることが可能となる。また、信号ピン５に関しても、局部発振回路に対応する領域と異なる領域に信号ピンを設けて、フレームで遮蔽することにより、局部発振回路１２，１８の電波が接続ピン５に飛び乗りにくくすることが可能となるため２つの局部発振回路が互いに干渉し合うことを抑制することができる。
【００３７】
そして、さらに、局部発振回路１２，１８の配置に関して、配線基板３４に設けられる局部発振回路１２の真下の配線基板３６に局部発振回路１８が設けられないよう配置する。すなわち、互いの位置関係が配線基板３４および３６に対して垂直線上にならないようにずれて配置する。
【００３８】
当該構成により、厚みの厚いシャーシ３２を設けることなく局部発振回路１２と、局部発振回路１８との間隔ｄ１を十分に確保することができる。なお、局部発振回路１２および１８は距離を確保すればするほどスプリアス信号のレベルを低減して、スプリアス信号の影響を抑制することが可能であるため、配線基板３４および３６の端部の周辺領域に局部発振回路１２および１８を設けて、局部発振回路１２および１８の間隔が最大となるように配置することが望ましい。
【００３９】
（実施の形態２）
上記の実施の形態１においては、２つの配線基板３４，３６を設けてそれぞれの配線基板に対して局部発振回路１２，１８を設ける構成について説明したが、１つの配線基板に２つの局部発振回路を設ける構成について説明する。
【００４０】
図４は、本発明の実施の形態２に従うＬＮＢの構造を側面から示した図である。
図４を参照して、配線基板３５を取り付けるためのシャーシ３２が設けられる。シャーシ３２は、配線基板３５の下面側と接着して取り付けられる。また、配線基板３５の上面に局部発振回路１２が設けられ、下面に局部発振回路１８が設けられる。また、配線基板３５の上面を覆うためのフレーム４２＃が設けられる。
【００４１】
そして、本実施の形態２に従う構成においては、シャーシ３２において、凹み領域が成型され、そして、局部発振回路１８がその凹み領域に収納されるように成型されている。この局部発振回路１８が凹み領域に収納されることによりシャーシ３２と配線基板３５との間で局部発振回路１８が遮蔽状態となる。
【００４２】
また、フレーム４２＃については、局部発振回路１８に対応する領域を覆うように、側壁部４２＃Ａおよび４２＃Ｂが設けられ、局部発振回路１８を遮蔽状態としている。
【００４３】
このように局部発振回路１２をフレーム４２＃で覆って区分し遮蔽するとともに、シャーシ３２と配線基板３５との間で局部発振回路１８を遮蔽することにより局部発振回路の回路領域以外の回路部分にスプリアス信号である電波が飛び交わないようにすることが可能となるため２つの局部発振回路が互いに干渉し合うことを抑制することができる。
【００４４】
そして、さらに、局部発振回路１２，１８の配置に関して、配線基板３５の上面側に設けられる局部発振回路１２に対して裏面側に局部発振回路１８が設けられないように配置する。すなわち、互いの位置関係が配線基板３５に対して垂直線上にならないようにずれて配置する。
【００４５】
当該構成により、局部発振回路１２と、局部発振回路１８との間隔ｄ１を十分に確保することができる。なお、局部発振回路１２および１８は距離を確保すればするほどスプリアス信号のレベルを低減して、スプリアス信号の影響を抑制することが可能であるため、配線基板３５の端部の周辺領域に局部発振回路１２および１８を設けて、局部発振回路１２および１８の間隔が最大となるように配置することが望ましい。
【００４６】
また、当該構成は、実施の形態１で説明したような２つの配線基板ではなく、１つの配線基板を用いた構成であるため装置全体の大きさを縮小することができるとともに、信号ピン等も必要ではなく、部品点数も削減されてコストを低減することが可能なＬＮＢを実現することができる。
【００４７】
（実施の形態３）
上記の実施の形態においては、局部発振回路１２および１８の距離を確保することによりスプリアス信号のレベルを低減できる方式について説明したが、本実施の形態３においては、別の方式でスプリアス信号の影響を抑制する方式について説明する。
【００４８】
本実施の形態３においては、実施の形態２の図４で説明したように一枚の回路基板３５において、二つの局部発振回路１２，１８を回路基板３５の上面および下面にそれぞれ配置し、局部発振回路１２，１８のＧＮＤを互いに分離する。
【００４９】
図５は、本発明の実施の形態３に従うＬＮＢの構造を側面から示した図である。
図５を参照して、図４で説明した構成と比較して、上面と下面とを電気的に結合するスルーホールＣＨ１，ＣＨ２，ＣＨ３が回路基板３５にさらに設けられた構成が示されている。具体的には、配線基板３５の上面に設けられた局部発振回路１２はスルーホールＣＨ２を介して下面に設けられた後述するＧＮＤパターンと接続される。また、後述するがフレーム４２の側壁部４２＃Ｂと後述する下面に設けられたＧＮＤパターンとがスルーホールＣＨ３を介して接続される。また、配線基板３５の下面に設けられた局部発振回路１８は、スルーホールＣＨ１を介して上面に設けられたフレーム４２＃と接続されるものとする。フレーム４２＃は接地されておりフレーム４２＃およびスルーホールＣＨ１を介して局部発振回路１８にＧＮＤが供給される。なお、図示しないが、電源を供給する電源供給ラインおよび信号を伝達する信号伝達ラインは回路基板３５の上面に設けられるものとする。
【００５０】
図６は、本発明の実施の形態３に従う回路基板３５の下面および上面を説明する図である。
【００５１】
図６（ａ）を参照して、ここでは、回路基板３５の下面のＧＮＤパターン等のレイアウトが示されている。
【００５２】
具体的には、回路基板３５の大部分の領域はＧＮＤパターン６２として設けられている。このＧＮＤパターン６２は、接地されたシャーシ３２と接触しており、シャーシ３２を介してＧＮＤがＧＮＤパターン６２に供給されることになる。このＧＮＤパターン６２は、局部発振回路１２，１８以外の回路素子に対してＧＮＤを供給するために設けられたものであり。また、ＧＮＤパターン６２とは別に回路基板３５の下面側に設けられる局部発振回路１８を設けるための領域６０が示されており、当該領域６０に局部発振回路１８が設けられる。そして、当外領域６０には、局部発振回路１８にＧＮＤを供給するために設けられたスルーホールＣＨ１が設けられている場合が示されている。
【００５３】
一方、回路基板３５の下面にはＧＮＤパターン６２とは別のＧＮＤパターン６４が設けられる。本例においては、ＧＮＤパターン６２とＧＮＤパターン６４との間が短絡しないようにＧＮＤパターン６４とＧＮＤパターン６２との間には、所定の間隔が設けられている。また、２つのスルーホールＣＨ２，ＣＨ３が設けられている。
【００５４】
図６（ｂ）を参照して、ここでは、回路基板３５の上面のＧＮＤパターン等のレイアウトが示されている。
【００５５】
具体的には、接地されたフレーム４２＃と接触しているＧＮＤパターン７０が設けられている。そして、上述したように局部発振回路１８は、スルーホールＣＨ１を介してこのＧＮＤパターン７０と接続されＧＮＤが供給される。
【００５６】
また、接地されたフレーム４２＃の側壁部４２＃Ａと接触しているＧＮＤパターン７０が設けられ、回路基板３５の上面の図示しない回路に必要なＧＮＤが供給される。そして、スルーホールＣＨ３を介してフレーム４２の側壁部４２＃Ｂと接続される。そして、スルーホールＣＨ２を介して上述したＧＮＤパターン６４と回路基板３５の上面の局部発振回路１２とが接続されＧＮＤが供給される。
【００５７】
すなわち、局部発振回路１２と局部発振回路１８とは、回路基板３５のＧＮＤパターンに関して互いに独立しており、それぞれ異なるＧＮＤ供給ラインを有することになる。
【００５８】
当該構成により、ＧＮＤを分離することでＧＮＤ供給ラインに伝達される局部発振信号の漏洩に基づく相互干渉を抑制することが可能となり、これら二つの局部発振回路の局部発振周波数の差やそれらの高調波との差から発生する、スプリアス信号のレベルを低減できることができる。
【００５９】
なお、本例においては、スルーホールＣＨ２，ＣＨ３およびＧＮＤパターン６４を用いて局部発振回路１２にＧＮＤを供給する方式について説明したが、このようなスルーホールを設けることなく、接地されたフレーム４２の側壁部４２＃Ｂから局部発振回路１２に対してＧＮＤが供給されるようにＧＮＤパターンを形成することも可能であるが、回路基板３５の下面側にＧＮＤパターンを主に設けて、上面側に設けるＧＮＤパターンの領域を縮小することにより上面側に電源ラインあるいは信号ライン等のパターンをレイアウトすることが容易となり、信号ライン等のレイアウト効率を向上させることも可能である。
【００６０】
ここでは、ＧＮＤを分離することについて説明したが、実施の形態１および２で説明した方式と組み合わせることも当然に可能である。また、ＧＮＤを分離する場合について説明したが例えば電源の供給を分離することによりスプリアス信号のレベルを低減することも可能である。
【００６１】
今回開示された実施の形態はすべての点で例示であって制限的なものではない。本発明の範囲は上記した実施の形態ではなくて特許請求の範囲によって示され、特許請求の範囲と均等な意味および範囲内でのすべての変更点が含まれることが意図される。
【図面の簡単な説明】
【００６２】
【図１】本発明の実施の形態に従うＬＮＢ１の構成を示したブロック図である。
【図２】本発明の実施の形態に従うＬＮＢ１の２つの局部発振回路をそれぞれ搭載する配線基板を分離する構造を概略的に示した断面図である。
【図３】本発明の実施の形態１に従うＬＮＢの構造を側面から示した図である。
【図４】本発明の実施の形態２に従うＬＮＢの構造を側面から示した図である。
【図５】本発明の実施の形態３に従うＬＮＢの構造を側面から示した図である。
【図６】本発明の実施の形態３に従う回路基板３５の下面および上面を説明する図である。
【図７】従来の衛星放送受信装置の断面構造を示した図である。
【符号の説明】
【００６３】
１  ＬＮＢ、２  入力部ホーン、５  接続ピン、８，１４  バンドパスフィルタ、２０  電源回路、２２  セレクト回路、２４  アンプ、２６  コンデンサ、１０，１６  ミクサ、２８，５４  Ｆ栓コネクタ、１２，１８  局部発振回路、３２  シャーシ、４２，４２＃，４６  フレーム、５２  入力部ホーン、３４，３５，３６  配線基板、６２，６４，７０，７１  ＧＮＤパターン。
【図１】
2007318718.tif 000003
【図２】
2007318718.tif 000004
【図３】
2007318718.tif 000005
【図４】
2007318718.tif 000006
【図５】
2007318718.tif 000007
【図６】
2007318718.tif 000008
【図７】
2007318718.tif 000009